(57)【要約】【課題】  ウォーターマッサージが家庭で楽しめる家庭用ウォーターマッサージ装置を提供する。【解決手段】  浴室に元からある水湯共用蛇口１の下に連結するシャワーヘッド３との間に位置し出水量をコントロールする制御装置２を備え、水湯共用蛇口１のシャワー切換ノブ１１の下方にはＴ管１２がありそれぞれパイプ１Ａによって制御装置２とろ過器１４に接続される逆流防止バルブ１３とに接続されていて、制御装置２内には加圧モーター２１、インバーター２２、マイクロコンピューター制御板２３、及びリモコン２４を備え、リモコン２４は押すためのボタン２４１を備え、使用者が必要に応じて選択ボタン２４１を押すと、リモコン２４が作動し、情報がマイクロコンピューター制御板２３に送られて、インバーター２２が加圧モーター２１の出水、パイプから出る水圧の強弱、及び水量間歇時間の変化をコントロールする。【選択図】    図１Ａ
0003111654.tif 000002
【実用新案登録請求の範囲】
【請求項１】
浴室に元からある水湯共用蛇口の下に連結するシャワーヘッドとの間に位置し、出水量をコントロールする制御装置を備え、
前記水湯共用蛇口のシャワー切換ノブの下方にはＴ管があり、それぞれパイプによって、制御装置とろ過器に接続される逆流防止バルブとに接続され、
制御装置内には加圧モーター、インバーター、マイクロコンピューター制御板、及びリモコンを備え、
前記リモコンは押すためのボタンを備え、使用者が必要に応じて選択ボタンを押すと、リモコンが作動し、情報がマイクロコンピューター制御板に送られて、インバーターが加圧モーターの出水、パイプから出る水圧の強弱、及び水量間歇時間の変化をコントロールして、その多数の水柱及び交互に変化する異なった水圧によって、体をマッサージして、ウォーターマッサージ作用を形成し、細胞を活性化させ、疲労を回復し、新陳代謝を促進して、心身ともにリラックスすることが可能であるということを特徴とする家庭用ウォーターマッサージ装置。
【請求項２】
水湯共用蛇口のシャワー切換ノブの下にＴ管を取り付け、制御装置とろ過器に接続される逆流防止バルブとが接続されていることにより、浴槽の中の水量が制御装置によってコントロールされて、連続的に循環再利用されるため、水資源の節約が可能であるという効果がある、請求項１に記載の家庭用ウォーターマッサージ装置。
【請求項３】
シャワーフェイスが、大小さまざまな穴のサイズに変更できる外、各種形状の異なったシャワーカバーを組み合わせて、その出水力を利用して、特定の部位をマッサージすることが可能であるということを特徴とする請求項１に記載の家庭用ウォーターマッサージ装置。
【請求項４】
制御装置に接続するパイプの先端に、出水用の多穴ノズルを組み合わせることが可能であることを特徴とする請求項１に記載の家庭用ウォーターマッサージ装置。
【請求項５】
制御装置に接続するパイプの先端に、出水用の単穴ノズルを組み合わせることが可能であることを特徴とする請求項１に記載の家庭用ウォーターマッサージ装置。
【考案の詳細な説明】
【技術分野】
【０００１】
本考案は家庭用ウォーターマッサージ装置に関する。本考案の家庭用ウォーターマッサージ装置は、異なった水圧で体に刺激を与えてマッサージ効果を生み出すことにより、細胞を活性化させ、疲労を回復し、新陳代謝を促進して、身も心もリラックスさせるという特長がある。
【背景技術】
【０００２】
現在、多くの人は、疲れを癒し、リラックスするためにエステやスパに行く。しかしながら、このような施設は、混んでいると、長い間待たされて時間が無駄になったり、人が多くてリラックスできなかったりする。中には、施設の衛生管理が気になる場合もある。もし、清潔さに欠けている施設だったら、お金と時間を無駄にした上に、時には病気に感染することも考えられる。また、このような施設は費用の面でも決して安くない。心身の疲れは毎日のことであり、それを癒すために毎日このような施設を利用することは不可能である。そこで、人によっては、スパ用品を購入して家庭用の浴槽を利用し、ゆっくり湯船につかり、スパの気分を味わっている。こうすれば、時間と費用が節約でき、衛生面での心配もなく、プライバシーも守れる。しかしながら、専門の施設のようなジャグジーやウォーターマッサージを楽しむことは無理である。
【考案の開示】
【考案が解決しようとする課題】
【０００３】
本考案は上述の問題を解決するために創作されたものであって、ウォーターマッサージが家庭で楽しめる家庭用ウォーターマッサージ装置を提供することを目的とする。
【課題を解決するための手段】
【０００４】
上記目的を達成するため、本考案に係る家庭用ウォーターマッサージ装置は、浴槽の水湯共用蛇口とシャワーの間の位置に、出水量をコントロールする制御装置が取り付けてある。水湯共用蛇口のシャワー切換ノブの下にＴ管が取り付けてあって、それぞれパイプによって制御装置とろ過器に接続される逆流防止バルブとに接続されている。さらに、この制御装置内には加圧モーター、インバーター、マイクロコンピューター制御板、及び、リモコンがある。このリモコンには押すためのボタンが設けてある。また、制御装置はシャワーセットのパイプと接続していて、もう一方の端は出水用のヘッドを取り付けるようになっている。使用者は必要に応じて制御装置をＯＮにして、水の圧力の強弱及び水量の間歇時間を調整し、同時に、シャワーヘッドにパーツや異なった形態のノズルを取り付けて、異なった水圧や水量、出水の形態によって、ウォーターマッサージを行い、細胞を活性化させ、疲労を回復し、新陳代謝を促進して、心身共にリラックスできるという効果がある。
【考案を実施するための最良の形態】
【０００５】
図１Ａ及び図１Ｂに示すように、本考案の一実施例による家庭用ウォーターマッサージ装置の構造は、浴室に元からある水湯共用蛇口１の下に連結するシャワーヘッド３との間に位置し、出水量をコントロールする制御装置２が取り付けてある。この水湯共用蛇口１のシャワー切換ノブ１１の下方にはＴ管１２（図１Ｂ参照）があって、それぞれパイプ１Ａによって、制御装置２とろ過器１４に接続される逆流防止バルブ１３とに接続されている。さらに、制御装置２内には加圧モーター２１、インバーター２２、マイクロコンピューター制御板２３、及び、リモコン２４があって、このリモコン２４には押すためのボタン２４１がある。このボタン２４１は、使用者が水量、水圧の強弱、出水の間歇時間等の機能を調節できるようになっている。したがって、使用者Ａがボタンを押すと、それによって設定された情報が、無線でマイクロコンピューター制御板２３に送られてコントロールするようになっている。また、制御装置２に接続されるパイプ１Ａの先端の位置にはシャワーヘッド３が接続される（図２Ａ参照）。シャワーフェイス３１は、大小さまざまな穴のサイズに変更できる外、出水用の多穴ノズル３Ａ（図２Ｂ参照）、単穴ノズル３Ｂ（図２Ｃ参照）を組み合わせることも可能である。
【０００６】
ウォーターマッサージを行なう前に、一般の方式で水湯共用蛇口１のシャワー切換ノブ１１を操作して、Ｔ管１２を切り替えて、水または湯をシャワーヘッド３から出して、使用者Ａの体を洗う（図３参照）。汚れを洗い流した後もシャワーを浴び続けるが、その水量が一定までたまると、使用者は再度水湯共用蛇口１のシャワー切換ノブ１１を操作して、Ｔ管１２の通路を変更し、元の壁管からの水を止め（つまり、水湯共用蛇口１は水を供給しない）、これにより、逆流防止バルブ１３及びろ過器１４の部分がパイプ１Ａと通じるようになる。この時、使用者Ａはリモコン２４を使用して、好みの水量や水圧の種類等を選択するボタン２４１を押し、そのシグナルを受けた制御装置２内のマイクロコンピューター制御板２３が加圧モーター２１を制御して、リモコン２４の選択ボタン２４１の設定に応じて出水する（図４参照）。異なる水柱の強弱または水圧を交互に使用することにより、ウォーターマッサージが行なえる。刺激を受ける部位は、エステやスパでウォーターマッサージを受けているのと同様の効果があり、細胞が活性化され、疲労が回復し、新陳代謝が促進されて、心身ともにリラックスすることが可能である。本実施例の家庭用ウォーターマッサージ装置を使用することで、費用をかけずに、家庭でもウォーターマッサージが楽しめる。
【０００７】
さらに、使用する水は連続的に循環して再利用するので、水資源の節約も可能である。また、使用者Ａはシャワーヘッド３を手で持つこともできる外、座ったり、横になったりして、ジャグジーを楽しむことも可能である。同時に、シャワーヘッドに、ラッパ型シャワーカバー３２（図５Ａ参照）あるいは、筒型シャワーカバー３３（図６Ａ参照）を組み合わせて、その出水力を利用して、胸部（図５Ｂ参照）、肩、腰、背中（図６Ｂ参照）、腹部等、特定の部位をマッサージすることも可能である。そして、シャワーヘッド３を多穴ノズル３Ａや単穴ノズル３Ｂに取り替えて、その出水力を利用して、胸部、肩、腰、背中、腹部（図７Ａ参照）、足の裏（図７Ｂ参照）等、特定の部位をマッサージすることも可能であり、その外、体の部位をクリーニング（図８参照）するのにも使用できる。
【０００８】
本実施例の家庭用ウォーターマッサージ装置は、浴槽に元からある水湯共用蛇口とそれに連なるシャワーとの間の位置に、出水量をコントロールする制御装置が取り付けてある。水湯共用蛇口のシャワー切換ノブの下にＴ管が取り付けてあって、それぞれパイプによって制御装置とろ過器に接続される逆流防止バルブとに接続されている。さらに、この制御装置内には加圧モーター、インバーター、マイクロコンピューター制御板、及び、リモコンがある。このリモコンには押すためのボタンが設けてある。また、制御装置はシャワーセットのパイプと接続していて、もう一方の端は出水用のヘッドを取り付けるようになっている。使用者は必要に応じて制御装置をＯＮにして、水の圧力の強弱及び水量の間歇時間を調整し、同時に、シャワーヘッドにパーツや異なった形態のノズルを取り付けて、異なった水圧、水量、及び出水の形態によって、ウォーターマッサージを行い、細胞を活性化させ、疲労を回復し、新陳代謝を促進して、心身共にリラックスできるという効果がある。
【０００９】
本実施例の家庭用ウォーターマッサージ装置は、水湯共用蛇口のシャワー切換ノブの下にＴ管を取り付け、さらに、制御装置とろ過器に接続される逆流防止バルブとが接続されている。したがって、浴槽の中の水量が制御装置によってコントロールされて、連続的に循環再利用されるため、水資源の節約が可能であるという効果がある。
【図面の簡単な説明】
【００１０】
【図１Ａ】本考案の一実施例による家庭用ウォーターマッサージ装置の構造を示す図である。
【図１Ｂ】本考案の一実施例による家庭用ウォーターマッサージ装置の構造を示す図である。
【図２Ａ】本考案の一実施例による家庭用ウォーターマッサージ装置のパーツを示す図である。
【図２Ｂ】本考案の一実施例による家庭用ウォーターマッサージ装置のパーツを示す図である。
【図２Ｃ】本考案の一実施例による家庭用ウォーターマッサージ装置のパーツを示す図である。
【図３】本考案の一実施例による家庭用ウォーターマッサージ装置の使用例を示す図である。
【図４】本考案の一実施例による家庭用ウォーターマッサージ装置の使用例を示す図である。
【図５Ａ】本考案の一実施例に係るシャワーヘッドのパーツを示す図である。
【図５Ｂ】本考案の一実施例による家庭用ウォーターマッサージ装置の使用例を示す図である。
【図６Ａ】本考案の一実施例に係るシャワーヘッドのパーツを示す図である。
【図６Ｂ】本考案の一実施例による家庭用ウォーターマッサージ装置の使用例を示す図である。
【図７Ａ】本考案の一実施例による家庭用ウォーターマッサージ装置の使用例を示す図である。
【図７Ｂ】本考案の一実施例による家庭用ウォーターマッサージ装置の使用例を示す図である。
【図８】本考案の一実施例による家庭用ウォーターマッサージ装置の使用例を示す図である。
【符号の説明】
【００１１】
１  水湯共用蛇口、１１  シャワー切換ノブ、１２  Ｔ管、１３  逆流防止バルブ、１４  ろ過器、１Ａ  パイプ、２  制御装置、２１  加圧モーター、２２  インバーター、２３  マイクロコンピューター制御板、２４  リモコン、２４１  ボタン、３  シャワーヘッド、３１  シャワーフェイス、３２  ラッパ型シャワーカバー、３３  筒型シャワーカバー、３Ａ  多穴ノズル、３Ｂ  単穴ノズル、Ａ  使用者
【図１Ａ】
0003111654.tif 000003
【図１Ｂ】
0003111654.tif 000004
【図２Ａ】
0003111654.tif 000005
【図２Ｂ】
0003111654.tif 000006
【図２Ｃ】
0003111654.tif 000007
【図３】
0003111654.tif 000008
【図４】
0003111654.tif 000009
【図５Ａ】
0003111654.tif 000010
【図５Ｂ】
0003111654.tif 000011
【図６Ａ】
0003111654.tif 000012
【図６Ｂ】
0003111654.tif 000013
【図７Ａ】
0003111654.tif 000014
【図７Ｂ】
0003111654.tif 000015
【図８】
0003111654.tif 000016